(57)【要約】【課題】精度よく容易に組み立てでき、良好な光学特性を確保できる光ピックアップ用光学素子およびそれを用いた光ピックアップを提供する。【解決手段】光束を集束する対物レンズ１と、収差を補正する収差補正手段２と、対物レンズ１および収差補正手段２の相対的位置を固定するホルダ６とを有する光ピックアップ用光学素子１０であって、収差補正手段２が、ホルダ６に設けられた光束が通るための穴部１４を完全に覆わない収差補正素子を含むことを特徴とする。【選択図】図１
2006053993.tif 000002
【特許請求の範囲】
【請求項１】
光束を集束する対物レンズと、収差を補正する収差補正手段と、上記対物レンズおよび上記収差補正手段の相対的位置を固定するホルダとを有する光ピックアップ用光学素子であって、
上記収差補正手段は、上記ホルダに設けられた光束が通るための穴部を完全に覆わない収差補正素子を含むことを特徴とする光ピックアップ用光学素子。
【請求項２】
上記収差補正素子を通り、光軸に垂直な面で断面をとったとき、上記収差補正素子と、上記ホルダの光束が通るための穴部または穴部とつながる空間の側面との間に隙間が存在することを特徴とする請求項１に記載の光ピックアップ用光学素子。
【請求項３】
上記収差補正素子は、光軸に平行な方向に上記ホルダに当て付けられ、該当て付け面を含む光軸に垂直な面で断面をとったとき、上記収差補正素子と、上記ホルダの光束が通るための穴部または穴部とつながる空間の側面との間に隙間が存在することを特徴とする請求項１に記載の光ピックアップ用光学素子。
【請求項４】
上記収差補正手段は、複数の収差補正素子を備え、その少なくとも１個の収差補正素子が上記ホルダに設けられた光束が通るための穴部を完全に覆っていないことを特徴とする請求項１〜３のいずれか一項に記載の光ピックアップ用光学素子。
【請求項５】
上記収差補正手段は、複数の収差補正素子を備え、その全ての収差補正素子が上記ホルダに設けられた光束が通るための穴部を完全に覆っていないことを特徴とする請求項１〜３のいずれか一項に記載の光ピックアップ用光学素子。
【請求項６】
上記収差補正手段は、複数の収差補正素子を備え、その少なくとも２個の収差補正素子は、光軸に平行な方向から見たときに、重ならない部分を有するように配されていることを特徴とする請求項１〜５のいずれか一項に記載の光ピックアップ用光学素子。
【請求項７】
上記少なくとも２個の収差補正素子は、光軸に平行な方向から見たときの形状がそれぞれ長方形で、互いの長手方向が平行でなく、角度を持つように配されていることを特徴とする請求項６に記載の光ピックアップ用光学素子。
【請求項８】
上記角度が、９０度であることを特徴とする請求項７に記載の光ピックアップ用光学素子。
【請求項９】
上記少なくとも２個の収差補正素子は、光軸に平行な方向から見たときの形状がそれぞれ正方形であり、互いの辺が平行でなく、角度を持つように配されていることを特徴とする請求項６に記載の光ピックアップ用光学素子。
【請求項１０】
上記角度が、４５度であることを特徴とする請求項９に記載の光ピックアップ用光学素子。
【請求項１１】
上記ホルダは、上記収差補正素子を光軸に平行な方向に当て付ける当て付け面を有すると共に、該当て付け面に沿って上記収差補正素子の移動調整を可能にする空間を有することを特徴とする請求項１〜１０のいずれか一項に記載の光ピックアップ用光学素子。
【請求項１２】
上記ホルダは、上記当て付け面に沿つての上記収差補正素子の移動を制限する凸部を有することを特徴とする請求項１１に記載の光ピックアップ用光学素子。
【請求項１３】
上記ホルダは、上記収差補正素子を光軸に垂直な方向に位置決めする凸部または凹部を有することを特徴とする請求項１〜１０のいずれか一項に記載の光ピックアップ用光学素子。
【請求項１４】
上記凸部または上記凹部の位置決めのために相対する上記ホルダの壁部の距離と、その部分に固定される上記収差補正素子の該当部分の長さとの差が、１０μｍ未満であることを特徴とする請求項１３に記載の光ピックアップ用光学素子。
【請求項１５】
上記対物レンズの開口数が、０．７５以上であることを特徴とする請求項１〜１４のいずれか一項に記載の光ピックアップ用光学素子。
【請求項１６】
上記収差補正素子が、回折格子であることを特徴とする請求項１〜１５のいずれか一項に記載の光ピックアップ用光学素子。
【請求項１７】
上記収差補正素子が、上記光束の波長変動による色収差を補正する素子であることを特徴とする請求項１〜１６のいずれか一項に記載の光ピックアップ用光学素子。
【請求項１８】
上記収差補正素子が、上記対物レンズに異なる波長の光を入射したときに発生する収差を補正する素子であることを特徴とする請求項１〜１７のいずれか一項に記載の光ピックアップ用光学素子。
【請求項１９】
上記対物レンズと上記ホルダとが、合成樹脂により一体に形成されていることを特徴とする請求項１〜１８のいずれか一項に記載の光ピックアップ用光学素子。
【請求項２０】
上記収差補正素子と上記ホルダとが、合成樹脂により一体に形成されていることを特撤とする請求項１〜１０，１５〜１９のいずれか一項に記載の光ピックアップ用光学素子。
【請求項２１】
請求項１〜２０のいずれか一項に記載の光ピックアップ用光学素子を搭載したことを特徴とする光ピックアップ。
【発明の詳細な説明】
【技術分野】
【０００１】
本発明は、光学的に情報の記録／再生を行う光ディスクドライブ装置に設けられる光ピックアップ用光学素子、およびそれを用いた光ピックアップに関するものである。
【背景技術】
【０００２】
近年、光ディスクドライブ装置では、その記録容量を増すために、波長７８０ｎｍのレーザ光を使用したＣＤから、波長６５０ｎｍのレーザ光を使用したＤＶＤ、さらに波長４０５ｎｍのレーザ光を使用したディスクの採用というように、波長を短くすることによる高密度化が進められている。
【０００３】
このような光ディスクドライブ装置では、過去の資産を生かすために、波長４０５ｎｍのレーザ光を使用したディスク用の装置でも、波長６５０ｎｍのレーザ光を使用したＤＶＤや、波長７８０ｎｍのレーザ光を使用したＣＤの記録再生ができることが望ましい。
【０００４】
ところで、光ディスクドライブ装置には、レーザ光を記録媒体に照射して記録再生を行う光ピックアップが搭載されており、さらに、光ピックアップには、レーザ光を記録媒体に集光する対物レンズが取り付けられている。
【０００５】
この光ピックアップや対物レンズは、設計上は、１つの波長専用として、複数個の光ピックアップや対物レンズを搭載することで、各種波長のディスクの記録再生に対応することが容易である。
【０００６】
しかし、このように各波長に対応して光ピックアップを搭載すると、装置の小型化や、低価格化に不利であることから、１つの光ピックアップで複数の波長に対応することが求められている。光ピックアップに搭載される対物レンズについても、各波長に対応する複数の対物レンズを搭載して、それらを波長に応じて切り換えて使用するのではなく、一つの対物レンズで複数の波長に対応させることが求められている。
【０００７】
ところが、波長が短くなると、各種収差に対する光学特性の許容量が減少して、一つの対物レンズのみで複数の波長に対応させることが困難になる。このため、光を集光する対物レンズ以外に、波長が異なることによって発生する収差を補正する収差補正素子が必要となる。しかも、この収差補正素子は、光ピックアップの光学性能を確保するために、その光軸を対物レンズの光軸と精度良く合わせる必要がある。
【０００８】
一方、従来の光ピックアップとして、例えば、光ビームを光ディスクの信号記録面上に集光させる集束手段と、光ビームの常光成分および異常光成分のうち一方の成分を透過し、他方の成分を回折して収束させる偏光性ホログラム素子と、それらの相対位置を固定する保持手段とを備えるものが知られている（例えば、特許文献１参照）。
【特許文献１】特開平１０−３６９０号公報
【発明の開示】
【発明が解決しようとする課題】
【０００９】
上記の特許文献１に開示の技術を適用し、偏光性ホログラム素子を収差補正素子に置き換えれば、収差補正素子と集束手段である対物レンズとの相対位置を、保持手段により精度良く保つことができ、良好な光学特性を確保することが可能となるが、そのためには、保持手段によって収差補正素子と対物レンズとをμｍオーダの位置精度で保持する必要があり、また、組み立て性を確保するためには、形状にも工夫を要することになる。
【００１０】
しかしながら、上記特許文献１には、集束手段と偏光性ホログラム素子との相対位置を固定する保持手段について、その具体的な形状などが開示されていないため、実現が困難である。
【００１１】
したがって、上記の事情に鑑みてなされた本発明の目的は、精度よく容易に組み立てでき、良好な光学特性を確保できる対物レンズおよび収差補正素子を有する光ピックアップ用光学素子およびそれを用いた光ピックアップを提供することにある。
【課題を解決するための手段】
【００１２】
上記目的を達成する請求項１に係る発明は、光束を集束する対物レンズと、収差を補正する収差補正手段と、上記対物レンズおよび上記収差補正手段の相対的位置を固定するホルダとを有する光ピックアップ用光学素子であって、
上記収差補正手段は、上記ホルダに設けられた光束が通るための穴部を完全に覆わない収差補正素子を含むことを特徴とするものである。
【００１３】
請求項２に係る発明は、請求項１に記載の光ピックアップ用光学素子において、上記収差補正素子を通り、光軸に垂直な面で断面をとったとき、上記収差補正素子と、上記ホルダの光束が通るための穴部または穴部とつながる空間の側面との間に隙間が存在することを特徴とするものである。
【００１４】
請求項３に係る発明は、請求項１に記載の光ピックアップ用光学素子において、上記収差補正素子は、光軸に平行な方向に上記ホルダに当て付けられ、該当て付け面を含む光軸に垂直な面で断面をとったとき、上記収差補正素子と、上記ホルダの光束が通るための穴部または穴部とつながる空間の側面との間に隙間が存在することを特徴とするものである。
【００１５】
請求項４に係る発明は、請求項１〜３のいずれか一項に記載の光ピックアップ用光学素子において、上記収差補正手段は、複数の収差補正素子を備え、その少なくとも１個の収差補正素子が上記ホルダに設けられた光束が通るための穴部を完全に覆っていないことを特徴とするものである。
【００１６】
請求項５に係る発明は、請求項１〜３のいずれか一項に記載の光ピックアップ用光学素子において、上記収差補正手段は、複数の収差補正素子を備え、その全ての収差補正素子が上記ホルダに設けられた光束が通るための穴部を完全に覆っていないことを特徴とするものである。
【００１７】
請求項６に係る発明は、請求項１〜５のいずれか一項に記載の光ピックアップ用光学素子において、上記収差補正手段は、複数の収差補正素子を備え、その少なくとも２個の収差補正素子は、光軸に平行な方向から見たときに、重ならない部分を有するように配されていることを特徴とするものである。
【００１８】
請求項７に係る発明は、請求項６に記載の光ピックアップ用光学素子において、上記少なくとも２個の収差補正素子は、光軸に平行な方向から見たときの形状がそれぞれ長方形で、互いの長手方向が平行でなく、角度を持つように配されていることを特徴とするものである。
【００１９】
請求項８に係る発明は、請求項７に記載の光ピックアップ用光学素子において、上記角度が、９０度であることを特徴とするものである。
【００２０】
請求項９に係る発明は、請求項６に記載の光ピックアップ用光学素子において、上記少なくとも２個の収差補正素子は、光軸に平行な方向から見たときの形状がそれぞれ正方形であり、互いの辺が平行でなく、角度を持つように配されていることを特徴とするものである。
【００２１】
請求項１０に係る発明は、請求項９に記載の光ピックアップ用光学素子において、上記角度が、４５度であることを特徴とするものである。
【００２２】
請求項１１に係る発明は、請求項１〜１０のいずれか一項に記載の光ピックアップ用光学素子において、上記ホルダは、上記収差補正素子を光軸に平行な方向に当て付ける当て付け面を有すると共に、該当て付け面に沿って上記収差補正素子の移動調整を可能にする空間を有することを特徴とするものである。
【００２３】
請求項１２に係る発明は、請求項１１に記載の光ピックアップ用光学素子において、上記ホルダは、上記当て付け面に沿つての上記収差補正素子の移動を制限する凸部を有することを特徴とするものである。
【００２４】
請求項１３に係る発明は、請求項１〜１０のいずれか一項に記載の光ピックアップ用光学素子において、上記ホルダは、上記収差補正素子を光軸に垂直な方向に位置決めする凸部または凹部を有することを特徴とするものである。
【００２５】
請求項１４に係る発明は、請求項１３に記載の光ピックアップ用光学素子において、上記凸部または上記凹部の位置決めのために相対する上記ホルダの壁部の距離と、その部分に固定される上記収差補正素子の該当部分の長さとの差が、１０μｍ未満であることを特徴とするものである。
【００２６】
請求項１５に係る発明は、請求項１〜１４のいずれか一項に記載の光ピックアップ用光学素子において、上記対物レンズの開口数が、０．７５以上であることを特徴とするものである。
【００２７】
請求項１６に係る発明は、請求項１〜１５のいずれか一項に記載の光ピックアップ用光学素子において、上記収差補正素子が、回折格子であることを特徴とするものである。
【００２８】
請求項１７に係る発明は、請求項１〜１６のいずれか一項に記載の光ピックアップ用光学素子において、上記収差補正素子が、上記光束の波長変動による色収差を補正する素子であることを特徴とするものである。
【００２９】
請求項１８に係る発明は、請求項１〜１７のいずれか一項に記載の光ピックアップ用光学素子において、上記収差補正素子が、上記対物レンズに異なる波長の光を入射したときに発生する収差を補正する素子であることを特徴とするものである。
【００３０】
請求項１９に係る発明は、請求項１〜１８のいずれか一項に記載の光ピックアップ用光学素子において、上記対物レンズと上記ホルダとが、合成樹脂により一体に形成されていることを特徴とするものである。
【００３１】
請求項２０に係る発明は、請求項１〜１０，１５〜１９のいずれか一項に記載の光ピックアップ用光学素子において、上記収差補正素子と上記ホルダとが、合成樹脂により一体に形成されていることを特撤とするものである。
【００３２】
さらに、上記目的を達成する請求項２１に係る光ピックアップの発明は、請求項１〜２０のいずれか一項に記載の光ピックアップ用光学素子を搭載したことを特徴とするものである。
【発明の効果】
【００３３】
本発明によれば、光束を集束する対物レンズと、収差を補正する収差補正手段と、それらを固定するホルダとを有する光ピックアップ用光学素子において、収差補正手段がホルダに設けられた光束が通るための穴部を完全に覆わない収差補正素子を含むようにしたので、精度よく容易に組み立てでき、良好な光学特性を確保することができる。また、この光ピックアップ用光学素子を光ピックアップに搭載することで、光ピックアップの性能向上が図れる。
【発明を実施するための最良の形態】
【００３４】
以下、本発明の実施の形態について、図面を参照して説明する。
【００３５】
（第１実施の形態）
図１〜図７は本発明の第１実施の形態を示すもので、図１および図２は光ピックアップ用光学素子である光学素子部組を示す斜視図、図３は同じく分解斜視図、図４は同じく上面図、図５は図４のＡ−Ａ断面図、図６は本実施の形態の光学素子部組を搭載した光ピックアップの一部上面図、図７は一部を図６のＢ−Ｂ断面で示す光ピックアップの概念図である。
【００３６】
図６および図７において、液晶ポリマーなどの合成樹脂からなるホルダ５１には、対物レンズ１、収差補正手段である収差補正素子２、ホルダである鏡筒６を有する光ピックアップ用光学素子である光学素子部組１０が接着固定されている。この光学素子部組１０に関しては、後で詳しく説明する。ホルダ５１には、フォーカスコイル５２ａ，５２ｂ、トラッキングコイル５３ａ〜５３ｄが接着されている。また、ホルダ５１には、ベリリウム銅製の４本のワイヤバネ５４ａ〜５４ｄ（５４ａは図示せず）の一端部も接着されている。さらに、ホルダ５１に固定された基板５５ａ，５５ｂには、ワイヤバネ５４ａ〜５４ｄの一端とフォーカスコイル５２ａ，５２ｂおよびトラッキングコイル５３ａ〜５３ｄの端末とが接続されている（端末は図示せず）。
【００３７】
ワイヤバネ５４ａ〜５４ｄの他端部はバネウケ５６に接着され、これによりホルダ５１はワイヤバネ５４ａ〜５４ｄを介して記録媒体５９の垂直方向（Ｚ方向）および半径方向（Ｘ方向）に移動可能に支持されていることになる。バネウケ５６には、基板５７が固定され、この基板５７にワイヤバネ５４ａ〜５４ｄの他端が半田付けされている。ワイヤバネ５４ａ〜５４ｄは図示しないフレキシブル基板を介して、さらに外部の電気回路に接続される。バネウケ５６は、鉄製のべース５８の曲げ立ち上げ部６１ａに固定されている。曲げ立ち上げ部６１ａ，６１ｂには、磁界を発生させる磁石６２ａ，６２ｂも固定されている。以上、ベース５８上に組み立てられた光学素子部組１０を動かすための機構をレンズアクチュエータ６０と呼ぶ。図７では、このレンズアクチュエータ６０のみを図６のＢ−Ｂ断面で示し、その他の光学部品などについては、概念図として示している。
【００３８】
次に、光学素子部組１０について、図１〜図５を参照して詳細に説明する。
【００３９】
カーボン繊維入りの液晶ポリマーなどの合成樹脂からなる鏡筒６には、対物レンズ１および収差補正素子２が接着固定されている。対物レンズ１はガラス製で、カバーガラス厚さ０．１ｍｍ、波長４０５ｎｍ、開口数０．８５の記録媒体に最適化されたレンズとなっている。収差補正素子２は合成樹脂製で、中央の領域３には輪帯形状の回折格子が形成されている。
【００４０】
収差補正素子２は、カバーガラス厚さ０．６ｍｍ、波長６５０ｎｍ、開口数０．６のＤＶＤや、カバーガラス厚さ１．２ｍｍ、波長７８０ｎｍ、開口数０．４５のＣＤに対しては対物レンズ１が最適化されておらず、収差が発生するため、その収差を波長の違いによる回折の違いなどを利用して回折格子で補正するようになっている。
【００４１】
図３および図５に示すように、鏡筒６には、収差補正素子２から対物レンズ１へ光が通る穴部１４が形成されており、対物レンズ１は、図２および図５に示すように、穴部１４を完全に覆う形で鏡筒６に接着されている。
【００４２】
一方、図４に示すように、光軸に平行なＺ方向から見ると、収差補正素子２は長方形形状であり、鏡筒６の穴部１４は円形形状である。ここで、収差補正素子２の短辺の長さは、穴部１４の直径より短く、穴部１４を完全に覆っておらず、図１および図４に示すように、隙間４ａ，４ｂが存在し、これら隙間４ａ，４ｂを介して穴部１４の内部は外部空間とつながっている。
【００４３】
収差補正素子２は、そのＺ＋端面が鏡筒６のＺ−端の当て付け面１１ａ，１１ｂに当て付けられ、固定の際に、当て付け面１１ａ，１１ｂ内でＸ方向およびＹ方向に沿って動かされて位置調整が行われ、位置調整終了後、接着剤１６ａ，１６が塗布されて固定される。
【００４４】
鏡筒６の当て付け面１１ａ，１１ｂには、凸部１３ａ〜１３ｄが鏡筒６と一体に形成されている。凸部１３ａ〜１３ｄは、収差補正素子２のＸ方向の動きに関しては何ら制限を加えないが、Ｙ方向の動きに関しては、動き量を制限するようになっている。ここで、凸部１３ａ〜１３ｄのＹ方向間隔１５は、収差補正素子２のＹ方寸法３′よりも０．５〜１ｍｍ程度大きくなっており、この隙間の範囲で、収差補正素子２をＹ方向にも調整できるようになっている。
【００４５】
収差補正素子２は、調整の際、そのＹ方向の側面５ａ，５ｂを調整用のジグで掴み、位置が動かされる。調整用のジグは、隙間４ａ，４ｂからＺ方向に穴部１４に挿入され、側面５ａ，５ｂのＺ−側だけでなく、Ｚ方向全域に渡って掴む形（側面５ａについては、図１に斜線を施して示す範囲１７。側面５ｂについては範囲１７と対称な範囲）となっている。これにより、収差補正素子２をＺ−側だけで掴むよりも、強固に掴むことができ、掴む部分の剛性も上がることから、より精密に動かすことができ、調整の精度を向上させることができる。
【００４６】
本実施の形態では、鏡筒６の収差補正素子２が固定されていないＺ−端の面１２ａ，１２ｂのＺ方向の位置が、収差補正素子２が固定されている当て付け面１１ａ，１１ｂと同一となっているが、必ずしも同一である必要はない。
【００４７】
次に、図７を参照して、光学素子部組１０以外の光学系などについて、波長４０５ｎｍのレーザ光を発光するレーザダイオード６３から光学素子部組１０までの光路に沿って説明する。
【００４８】
レーザダイオード６３からのレーザ光は、コリメータレンズ６４に入射する。コリメータレンズ６４は、入射するレーザ光が平行光として出射されるように、その光軸方向の位置が調整されている。コリメータレンズ６４を通ったレーザ光は、そのレーザ光と波長６５０ｎｍのレーザ光とを合成するダイクロイックプリズム６５、さらにそれらのレーザ光と波長７８０ｎｍのレーザ光とを合成するダイクロイックプリズム６６を通って、１／４波長板６８が接合された偏光ビームスプリッタ６７に至る。レーザダイオード６３から出射したレーザ光は、上記の経路をたどった後、平行光を若干収束させたり、発散させたりする凹レンズ６９および凸レンズ７０よりなるリレーレンズ系を通って、光学素子部組１０に到達する。
【００４９】
レーザダイオード６３から出射したレーザ光の一部は、偏光ビームスプリッタ６７で反射する。その反射光の進む位置には、フォトディテクタ７１が配置されている。また、記録媒体からの戻り光は、偏光ビームスプリッタ６７で反射し、集光レンズ７２を介してフォトディテクタ７３に至る。
【００５０】
レーザダイオード６３の他に、波長６５０ｎｍのレーザ光を発光するレーザダイオード７４、波長７８０ｎｍのレーザ光を発光するレーザダイオード７６も配置されている。
【００５１】
レーザダイオード７４からの波長６５０ｎｍのレーザ光は、コリメータレンズ７５に入射する。コリメータレンズ７５は、入射するレーザ光が平行光として出射されるように、その光軸方向の位置が調整されている。コリメータレンズ７５を通ったレーザ光は、そのレーザ光と波長４０５ｎｍのレーザ光とを合成するダイクロイックプリズム６５に入射して反射する。それ以降は、波長４０５ｎｍのレーザ光を同じ光路をたどって光学素子部組１０に到達する。
【００５２】
レーザダイオード７６からの波長７８０ｎｍのレーザ光は、３ビーム法によりトラッキングエラーを検出するために、グレーティング７７を介してコリメータレンズ７８に入射する。コリメータレンズ７８は、入射するレーザ光が平行光として出射されるように、その光軸方向の位置が調整されている。コリメータレンズ７８を通ったレーザ光は、そのレーザ光と波長４０５ｎｍのレーザ光および波長６５０ｎｍのレーザ光とを合成するダイクロイックプリズム６６に入射して反射する。それ以降は、波長４０５ｎｍのレーザ光を同じ光路をたどって光学素子部組１０に到達する。
【００５３】
なお、フォトディテクタ７１およびフォトディテクタ７３は、全ての波長で共用される。また、上述した光学素子の各々は、適切なホルダや取付板などを介して、図示しないハウジングに固定されている。
【００５４】
次に、以上のように構成された本実施の形態について、その動作を説明する。
【００５５】
波長４０５ｎｍのレーザ光に対応する記録媒体５９を使用するときには、レーザダイオード６３を発光させる。レーザダイオード６３より発せられたレーザ光は、コリメータレンズ６４に入射して平行光にされ、ダイクロイックプリズム６５，６６、偏光ビームスプリッタ６７、１／４波長板６８、リレーレンズ６９，７０を経由して、光学素子部組１０の収差補正素子２を通り、対物レンズ１によって記録媒体５９上にスポットを形成する。
【００５６】
偏光ビームスプリッタ６７に入射したレーザ光は、その一部が反射されてフォトディテクタ７１で受光され、その出力に基づいてレーザダイオード６３の発光量の調整が行われる。
【００５７】
記録媒体５９からの反射光（戻り光）は、再び対物レンズ１を通り、往路とは逆の経路をたどって偏光ビームスプリッタ６７に到達する。ここで、戻り光は反射して、集光レンズ７２を経てフォトディテクタ７３で受光され、その出力に基づいてフォーカスエラー、トラッキングエラーおよび記録信号の検出が行われる。また、さらに球面収差の検出も行われる。
【００５８】
フォーカスエラーが検出された場合は、フォーカスコイル５２ａ，５２ｂに電流を流すことによって、ホルダ５１を記録媒体５９に垂直な方向に駆動する。トラッキングエラーが検出された場合は、トラッキングコイル５３ａ〜５３ｄに電流を流すことによって、ホルダ５１を記録媒体５９のトラックを横切る方向に駆動する。記録媒体５９がディスクの場合には、半径方向に駆動することになる。また、異なるトラックにアクセスする場合は、図示していない駆動手段によってハウジングごとホルダ５１を記録媒体５９のトラックを横切る方向に駆動する。以上のようにして、ホルダ５１およびそれに固定された光学素子部組１０はフォーカス制御、トラッキング制御、アクセス制御される。
【００５９】
記録媒体５９のカバーガラス厚のばらつきなどにより発生した球面収差が検出されたときには、リレーレンズ系を構成するレンズ６９および／または７０を駆動して球面収差を補正する。これは、レンズ６９および／または７０を動かすことで、光学素子部組１０に入射する本来平行光である光の収束・発散具合を変更し、これによって変化する球面収差を利用するものである。
【００６０】
本実施の形態では、収差補正素子２と対物レンズ１との相対的位置を固定する鏡筒６に設けられた光束が通るための穴部１４を、収差補正素子２が完全に覆わず隙間４ａ，４ｂが存在するので、一部を隙間４ａ，４ｂに入れるなど、その部分を利用して収差補正素子２を掴んで鏡筒６に固定する調整用のジグや装置を用いることができ、精度良く収差補正素子２を鏡筒６に固定することができる。また、収差補正素子２を調整用のジグや装置で掴み易くなるので、光学素子の組み立ての作業性を向上させることもできる。これにより、高精度で、作業性の良い光学素子とすることができる。
【００６１】
また、穴部１４が密閉されないため、内部に湿気が溜まることがなく、結露を起こすなどの不具合を避けたり、空気を穴部１４に吹き付けて清掃を行ったりすることも可能となる。
【００６２】
本実施の形態では、収差補正素子２を光軸に平行な方向に、鏡筒６の当て付け面１１ａ，１１ｂに当て付け、その面に沿ってＸ方向およびＹ方向に位置調整を行っている。これにより、部品の寸法公差によるばらつきを吸収でき、より精度が高く、性能の良い光学素子とすることができる。この微妙な調整には、より精度良く、高い剛性で収差補正素子２を摘む必要があるが、隙間４ａ，４ｂを設けることにより、その周辺の空間が広がるので、調整用のジグや装置の設計自由度が高くなり、より効果が発揮される。
【００６３】
また、鏡筒６に凸部１３ａ〜１３ｄを設けて、収差補正素子２の調整移動量を制限しているので、収差補正素子２を鏡筒６に初めに載せたときのずれ量を小さくすることができ、調整時間が短くて済むなど作業性が向上する。
【００６４】
なお、対物レンズ１と収差補正素子２との役割分担はいろいろ考えられる。本実施の形態では、３波長対応の光学素子について述べたが、２波長対応であっても良いし、１波長対応でも良い。複数の波長に対応する場合の方が、対物レンズ１と収差補正素子２との位置精度を高くする必要があることから、本発明が有効に適用でき、その効果が大きい。
【００６５】
また、１波長対応でも、例えば、対物レンズ１をカバーガラス厚さ０．１ｍｍ、波長４０５ｎｍ、開口数０．８５の記録媒体に対応させる場合において、波長が短く、開口数が大きくなったことで減少するレーザダイオードの波長変動による色収差の補正の役割を収差補正素子２に持たせる場合には、対物レンズ１と収差補正素子２との位置精度を高くする必要があることから、本発明が有効に適用でき、その効果が大きい。
【００６６】
カバーガラス、波長、開口数の組合せについてもいろいろ考えられる。例えば、カバーガラス厚さ０．６ｍｍ、波長４０５ｎｍ、開口数０．６５の記録媒体に対応するものでも良い。ただし、カバーガラス厚さが薄くなるほど、波長が短くなるほど、開口数が大きくなるほど、光学的な許容量が少なくなり、収差補正素子２の必要性が増し、収差補正素子２の取付けに高精度が要求されるので、本発明の効果をより発揮することができる。特に、本実施の形態のように開口数０．８５など、開口数０．７５以上の場合には、必要精度が極めて高くなるので、本発明の効果も高くなる。
【００６７】
光ピックアップにおいては、上記の特徴を持つ対物レンズ１、収差補正素子２、鏡筒６を有する光学素子部組１０を備えることにより、性能を向上することができる。
【００６８】
（第２実施の形態）
図８および図９は本発明の第２実施の形態を示すもので、図８は光ピックアップ用光学素子である光学素子部組の斜視図、図９はその上面図である。第１実施の形態と同じ部分には、同一の番号を付してある。
【００６９】
本実施の形態は、第１実施の形態と鏡筒６の形状が異なっている。すなわち、鏡筒６のＺ−端の面１８は単純な平面となっており、凸部１３ａ〜１３ｄは設けられていない。収差補正素子２は、面１８に沿って、Ｘ方向、Ｙ方向に調整され、接着剤１６ａ，１６ｂで鏡筒６に固定される。その他の構成および動作については、第１実施の形態とほぼ同じである。
【００７０】
本実施の形態においても、収差補正素子２と対物レンズ１との相対的位置を固定する鏡筒６に設けられた光束が通るための穴部１４を、収差補正素子２が完全に覆わず、隙間４ａ，４ｂが存在するので、一部を隙間４ａ，４ｂに入れるなど、その部分を利用して収差補正素子２を掴んで鏡筒６に固定する調整用のジグや装置を用いることができ、収差補正素子２を精度良く鏡筒６に固定することができる。また、収差補正素子２を調整用のジグや装置で掴み易くなるので、組み立ての作業性を向上させることもできる。
【００７１】
さらに、鏡筒６の面１８に凸部がないことにより、鏡筒６の形状が簡単となって低価格化も可能になると共に、面１８の精度も向上させ易くなり、また、調整用のジグや装置の設計の自由度が増して、組み立て精度や、作業性をより向上できる。
【００７２】
（第３実施の形態）
図１０および図１１は本発明の第３実施の形態を示すもので、図１０は光ピックアップ用光学素子である光学素子部組の斜視図、図１１はその上面図である。第１実施の形態と同じ部分には、同一の番号を付してある。
【００７３】
本実施の形態も、第１実施の形態と鏡筒６の形状が異なっている。すなわち、図１０に示すように、鏡筒６のＺ−端の面２０ａに凹部２１ａ（隠れている部分なので、破線で示している）が設けられている。面２０ｂについても、同様に凹部２１ｂ（図示せず）が設けられている。
【００７４】
図１１に示すように、凹部２１ａ，２１ｂのＸ方向に相対する面２２ａ，２２ｂの距離２５は、図１０に示した収差補正素子２のＸ方向両端面７ａ，７ｂの距離８より数μｍ大きくなっている。同様に、図１１に示した凹部２１ａおよび２１ｂのＹ方向に相対する面２３ａ，２３ｂおよび面２４ａ，２４ｂの距離２６は、図１０に示した収差補正素子２のＹ方向両端面５ａ，５ｂの距離９より数μｍ大きくなっている。
【００７５】
これにより、凹部２１ａ，２１ｂによってできる領域の方が、収差補正素子２よりわずかに大きい形となり、この部分に収差補正素子２は納められ、接着固定される。接着剤は、凹部２１ａ，２１ｂと収差補正素子２との間に塗布される。この際、収差補正素子２はＸおよびＹ方向には位置調整されず、凹部２１ａ，２１ｂによって位置決めされる。
【００７６】
また、鏡筒６の面２０ａ，２０ｂ間の面１９ａ，１９ｂは、Ｚ＋方向に面２０ａ，２０ｂと段差がある形状となっており、Ｚ方向に収差補正素子２と重ならないようになっている。これにより、収差補正素子２の面５ａ，５ｂの周りの空間が広がり、調整用のジグや装置で収差補正素子２を掴むことが容易となる。もちろん、調整用のジグや装置の構成によっては、面２０ａ，２０ｂと面１９ａ，１９ｂとの段差が、収差補正素子２とＺ方向に一部重なる程度であっても良いし、面２０ａ，２０ｂ，１９ａ，１９ｂが同一の平面であっても良い。その他の構成および動作については、第１実施の形態とほぼ同じである。
【００７７】
本実施の形態では、凹部２１ａ，２１ｂによって収差補正素子２をＸ方向およびＹ方向に位置決めするので、これらの方向の調整を不要とすることができる。ここで、収差補正素子２の取付け精度は、凹部２１ａ，２１ｂと収差補正素子２との寸法差によって決まるが、これは、光学性能などの許容量から決定すれば良く、例えば１０μｍ未満とすることが望ましい。
【００７８】
なお、本実施の形態では、凹部２１ａ，２１ｂの寸法を収差補正素子２の寸法より大きくしたが、逆に小さくして、収差補正素子２を圧入する形で固定しても良い。このようにすれば、寸法差の分のずれがなくなり、精度をより高めることができる。この場合も、寸法差が大きいと固定時に収差補正素子２が撓んで光学性能が劣化するので、収差補正素子２の寸法と凹部２１ａ，２１ｂとの寸法差は、例えば１０μｍ未満として、軽圧入とするのが望ましい。
【００７９】
なお、本実施の形態では、鏡筒６に凹部２１ａ，２１ｂを設けて収差補正素子２を固定したが、凹部２１ａ，２１ｂに代えて凸部を設けて収差補正素子２を固定するようにしても良いことは、言うまでもない。
【００８０】
本実施の形態によれば、収差補正素子２の位置調整は行わないが、収差補正素子２と対物レンズ１との相対的位置を固定する鏡筒６に設けられた光束が通るための穴部１４を、収差補正素子２が完全に覆わず、隙間４ａ，４ｂが存在するので、一部を隙間４ａ，４ｂに入れるなど、その部分を利用して収差補正素子２を掴んで鏡筒６に固定する調整用のジグや装置を用いることができる。これにより、収差補正素子２が掴み易くなるので、組み立ての作業性が向上し、収差補正素子２が凹部２０ａ，２０ｂとＺ方向に完全に密者しないなどの組み立てミスが防止され、結果として組み立て精度も向上させることができる。
【００８１】
また、凹部２１ａ，２１ｂをガイドとして、Ｘ方向およびＹ方向の位置決めの他に、Ｚ方向の調整を行っても良い。この場合には、収差補正素子２が掴み易くなることで、組み立て精度の向上効果をより発揮できる。
【００８２】
（第４実施の形態）
図１２〜図１５は本発明の第４実施の形態を示すもので、図１２は光ピックアップ用光学素子である光学素子部組の斜視図、図１３は分解斜視図、図１４は上面図、図１５は図１３の当て付け面２７を矢印Ｂ方向から見た断面図である。本実施の形態においても、第１実施の形態と同じ部分には同一の番号を付してある。
【００８３】
本実施の形態の光学素子部組１０は、第１実施の形態と形状が大きく異なっている。すなわち、図１３に示すように、鏡筒６に対物レンズ１が接着固定され、対物レンズ１が穴部１４を完全に覆う形で接着されているのは、第１実施の形態と同じであるが、収差補正手段である収差補正素子３０は、図１２〜図１４に示すように、光軸に平行なＺ方向から見た形状が長方形形状でなく、円形形状となっている。なお、第１実施の形態と同様に、輪帯形状の回折格子は中央の領域３１に形成されている。
【００８４】
鏡筒６には、収差補正素子３０を固定するために、Ｚ方向に当て付け面２７および外周が接する円柱側面形状の面２８が設けられている。ここで、図１４に示すように、面２８の直径３５は、図１３に示す収差補正素子３０の直径３２より数μｍ大きくなっている。
【００８５】
円柱側面形状の面２８は、図１３に示すように、円周全域に亘って存在せず、Ｘ方向両側の２か所に切り欠き部２９ａ，２９ｂを持っている。切り欠き部２９ａ，２９ｂの形状は、切り欠き部２９ｂで詳細に説明する。
【００８６】
切り欠き部２９ｂのＸ方向端面３６は、面２８によって形成される円の外側に位置している。また、Ｚ方向端面３３は、当て付け面２７よりＺ＋側に位置している。切り欠き部２９ｂは、穴部１４につながっている。切り欠き部２９ａについても同様の形状となっている。穴部１４は切り欠き部２９ａ，２９ｂの分、Ｚ−端で広がっている形となっている。
【００８７】
このように、切り欠き部２９ａ，２９ｂの面３６は、面２８によって形成される円よりも外側にあるため、この部分は収差補正素子３０で覆われない。したがって、図１５で説明すると、鏡筒６と収差補正素子３０が存在する領域３２との間には、切り欠き部２９ａ，２９ｂによって隙間３４ａ，３４ｂが生じる（図１５では、簡略のために領域３２や隙間３４ａ，３４ｂ内の詳細形状は記載していない）。なお、図１５は、収差補正素子３０の光軸に平行なＺ方向から見た当て付け面２７での断面であるが、それよりＺ−方向で、収差補正素子３０を通るように光軸に垂直な面で断面をとっても、同様になる。
【００８８】
また、切り欠き部２９ａ，２９ｂの面３３は、当て付け面２７よりもＺ＋側にあるため、鏡筒６に収差補正素子３０を取り付けた状態でも、隙間３４ａ，３４ｂは穴部１４につながっている。
【００８９】
本実施の形態においても、第１実施の形態の隙間４ａ，４ｂと同様に、隙間３４ａ，３４ｂの部分に調整用のジグや装置を配して収差補正素子３０を掴み、鏡筒６に接着固定する。この際、収差補正素子３０のＸ方向およびＹ方向の位置決めは、第３実施の形態と同様に、面２８の直径３５が収差補正素子３０の直径３２より数μｍ大きくなっていることを利用して、この部分で位置決めする。また、Ｚ方向については、先に述べたように当て付け面２７に収差補正素子３０を当て付けることによって行う。その他の構成および動作については、第１実施の形態とほぼ同じである。
【００９０】
本実施の形態では、収差補正素子３０と対物レンズ１との相対的位置を固定する鏡筒６に設けられた光束が通るための穴部１４とつながる切り欠き部２９ａ，２９ｂによって、収差補正素子３０が完全に覆われず、隙間３４ａ，３４ｂが存在するので、一部を隙間３４ａ，３４ｂに入れるなど、その部分を利用して収差補正素子３０を掴んで鏡筒６に固定する調整用のジグや装置を用いることができる。これにより、収差補正素子３０が掴み易くなるので、組み立ての作業性が向上し、収差補正素子３０が当て付け面２７とＺ方向に完全に密着しないなどの組み立てミスが防げ、結果として組み立て精度も向上させることができる。
【００９１】
なお、収差補正素子３０は、光軸に平行な方向より見た形状が円形でなく、第１実施の形態のような長方形形状であっても、本実施の形態のように切り欠き部を設けた穴形状を適応できることは言うまでもない。
【００９２】
（第５実施の形態）
図１６〜図２１は本発明の第５実施の形態を示すもので、図１６は光ピックアップ用光学素子である光学素子部組の斜視図、図１７は分解斜視図、図１８は上面図、図１９は図１８のＣ−Ｃ断面図、図２０は図１９のＤ−Ｄ断面図、図２１は図１９のＥ−Ｅ断面図である。本実施の形態においても、第１実施の形態と同じ部分には同一の番号を付してある。
【００９３】
図１６〜図１９に示すように、本実施の形態は、第１実施の形態と異なり、収差補正補正手段が２個の収差補正素子２，３７で構成されている。また、図１６に示すように、鏡筒６のＺ−端の当て付け面１１ａ，１１ｂと面１２ａ，１２ｂとは、Ｚ方向に収差補正素子２の厚さ以上にずらされており、当て付け面１１ａ，１１ｂに収差補正素子２が、面１２ａ，１２ｂに収差補正素子３７がそれぞれ接着固定されている。
【００９４】
収差補正素子２は、第１実施の形態で述べたように波長の違いにより発生する収差を、波長の違いによる回折格子での回折の違いを利用して補正するもので、複数の波長に対応するためのものである。もう一つの収差補正素子３７は、対物レンズ１での波長による屈折角の変化と逆の特性を持たせた回折格子で、レーザダイオードの波長変動による色収差の補正を行うものである。すなわち、第１実施の形態の変形例で述べたように、レーザダイオードの波長変動による色収差の発生は、波長が短くなると無視できなくなり、波長６５０ｎｍでは問題ないが、波長４０５ｎｍでは問題となる。この波長４０５ｎｍでの特性を良好にするために、収差補正素子３７が追加されている。
【００９５】
対物レンズ１および収差補正素子２の鏡筒６への固定については、第１実施の形態とほぼ同じである。図２１に示すように、収差補正素子２は領域４３にあり、穴部１４を完全に覆わず、第１実施の形態と同様に、隙間４５ａ，４５ｂが存在する。収差補正素子２は、鏡筒６のＺ−側より奥まったところにあるが、この隙間４５ａ，４５ｂにより、収差補正素子２を容易に掴むことができ、これにより収差補正素子２を作業性良く、鏡筒６に高精度に調整して固定することができる。
【００９６】
収差補正素子３７は、収差補正素子２よりＺ−側の面１２ａ，１２ｂに固定される。この収差補正素子３７は、収差補正素子２と同様に、光軸に平行な方向から見たときに長方形形状をもつが、その長手方向が収差補正素子２の長手方向と直交するように配置されている。それ以外は、収差補正素子２と同様に固定されている。すなわち、凸部１３ａ〜１３ｄは、収差補正素子３７については、収差補正素子２とは逆に、Ｙ方向の動きに関しては何ら制限を加えないが、Ｘ方向の動きに関しては制限している。ここで、収差補正素子２のＹ方向寸法３′と凸部１３ａ〜１３ｄのＹ方向間隔１５との関係と同様に、収差補正素子３７のＸ方向寸法４０は、凸部１３ａ〜１３ｄのＸ方向間隔４１よりも０．５〜１ｍｍ程度小さくなっている。この隙間の範囲で、収差補正素子３７をＸ方向にも調整をすることができる。なお、収差補正素子３７には、図１６〜図１９に示す領域３８に回折格子が形成されている。
【００９７】
図２０に示すように、収差補正素子３７は領域４２にあり、穴部１４を完全に覆わず、隙間４４ａ〜４４ｄが存在する。また、収差補正素子２のＺ−方向にも、隙間４６ａ，４６ｂが広がっている。
【００９８】
収差補正素子３７は、調整の際、図１６〜図１８に示すＸ方向の側面４７ａ，４７ｂが、調整用のジグや装置により、隙間４４ａ〜４４ｄ、４６ａ，４６ｂを利用して強固に掴まれて、位置が動かされる。したがって、掴む部分の剛性も上がることから、より精密に動かすことができ、調整の精度を向上させることができる。調整後は、図１６および図１８に示すように、接着剤３９ａ，３９ｂによって鏡筒６に固定される。
【００９９】
かかる光学素子部組１０の組み立てにおいては、まず、鏡筒６に対物レンズ１が固定され、次に、対物レンズ１に合わせて収差補正素子２が調整されて固定され、最後に、対物レンズ１および収差補正素子２に合わせて、収差補正素子３７が調整して固定される。
【０１００】
なお、収差補正素子２は、収差補正素子３７が存在する状態下で、図２０に示す隙間４４ａ〜４４ｄを利用してジグを挿入することにより掴むことができ、また、収差補正素子３７は隙間４６ａ，４６ｂを利用して掴むことができることから、収差補正素子２，３７を同時に掴むこともできる。したがって、収差補正素子２，３７を順番に調整して固定するのでなく、同時に調整して固定しても良い。このように、同時に調整するようにすれば、調整精度をより高めることができる。この場合、図１６および図１８からわかるように、接着剤１６ａ，１６ｂ、３９ａ，３９ｂはＺ方向から見て重なっていないので、接着固定は問題なくできる。その他の構成および動作については、第１実施の形態とほぼ同じである。
【０１０１】
本実施の形態では、２個の収差補正素子２，３７と対物レンズ１との相対的位置を固定する鏡筒６に設けられた光束が通るための穴部１４を、両方の収差補正素子２，３７が完全に覆わず、隙間４４ａ〜４４ｄ、４５ａ，４５ｂ、４６ａ，４６ｂが存在するので、一部を隙間に入れるなど、その部分を利用して収差補正素子２，３７を掴んで鏡筒６に固定する調整用のジグや装置を用いることができる。これにより、収差補正素子２，３７を鏡筒６に精度良く固定することができると共に、組み立て作業性も向上する。
【０１０２】
なお、本実施の形態では、収差補正手段が２個の収差補正素子からなるものとしたが、３個以上の収差補正素子からなる場合でも有効に適用することができる。また、全ての収差補正素子について、穴部を完全に覆わないようにせず、一部の収差補正素子について穴部を完全に覆わないようにしても良い。すなわち、収差補正素子が多くなった場合、全ての収差補正素子について穴部を完全に覆わないようにすると、鏡筒部の形状が複雑になることもあるので、その場合には、精度の必要な収差補正素子についてのみ穴部を完全に覆わないようにした方が、構成が簡単になり望ましい。
【０１０３】
また、本実施の形態では、収差補正素子２，３７を、光軸に平行な方向から見たときに重ならない部分があるように配置したので、先に述べたように隙間４４ａ〜４４ｄ、４６ａ，４６ｂを利用して奥側の収差補正素子２を掴むことができ、同時に両方の収差補正素子２，３７の位置調整を行うことができ、これにより調整精度を向上でき、高性能な光学素子とすることができる。
【０１０４】
なお、複数の収差補正素子を備える場合、その全部について重ならない部分があるようにする必要はなく、同時に調整したい収差補正素子が重ならないようにすればよい。本実施の形態のように、光軸に平行な方向から見たときの形状が長方形形状の収差補正素子であれば、その長手方向を平行でなく、角度を持つように配置するのが、光学素子全体や鏡筒の形状を考えたときに望ましい。対称の収差補正素子が２個であれば、本実施の形態のように長手方向を直交させると、全体の形状が均等になり、好ましい。
【０１０５】
（第６実施の形態）
図２２〜図２７は本発明の第６実施の形態を示すもので、図２２は光ピックアップ用光学素子である光学素子部組の斜視図、図２３は分解斜視図、図２４は上面図、図２５は図２４のＦ−Ｆ断面図、図２６は図２５のＧ−Ｇ断面図、図２７は図２５のＨ−Ｈ断面図である。本実施の形態では、第５実施の形態と同じ部分には同一の番号を付してある。
【０１０６】
図２２〜図２４に示すように、本実施の形態は、第５実施の形態と異なり、収差補正手段を構成する２個の収差補正素子２，３７が、光軸に平行な方向から見たとき長方形形状でなく、正方形形状となっている。
【０１０７】
また、鏡筒６の外周部には、凸部４８が設けられている。この凸部４８を用いて、光学素子部組１０を第１実施の形態で述べたホルダ５１に固定する。このように、凸部４８を設けたことにより、より強固にホルダ５１に固定することができる。また、凸部４８でＺ方向の位置決めを行うことで、ホルダ５１の形状によっては取り付け精度をより高めることができる。鏡筒６への対物レンズ１の固定については、第１実施の形態とほぼ同じである。
【０１０８】
収差補正素子２は、鏡筒６のＺ−端の面１３より凹形状に設けられた当て付け面１１ａ〜１１ｄに固定される。当て付け面１１ａ〜１１ｄは同一平面上にある。収差補正素子２は、当て付け面１１ａ〜１１ｄと面１３を結ぶ光軸に平行な面によって、当て付け面１１ａ〜１１ｄに沿った動き量が制限される。ここで、収差補正素子２の正方形部の寸法３ａ，３ｂ（正方形なので、３ａ＝３ｂである）は、それが収まる当て付け面１１ａ〜１１ｄと面１３を結ぶ光軸に平行な面の間隔１５ａ，１５ｂよりも０．５〜１ｍｍ程度小さくなっている。この隙間の範囲で、収差補正素子２を、当て付け面１１ａ〜１１ｄに沿って位置調整することができる。
【０１０９】
収差補正素子２は、図２７に示すように、鏡筒６のＺ−側より奥まった領域４３にあり、穴部１４を完全に覆わず、隙間４５ａ〜４５ｄが存在する。この隙間４５ａ〜４５ｄにより、図２３に示した収差補正素子２の側面５ａ〜５ｄを調整用のジグ等で容易に掴むことができ、作業性良く、高精度に調整や固定を行うことができる。調整が終わった後は、当て付け面１１ａ〜１１ｄの部分に接着剤を充填して固定される。
【０１１０】
収差補正素子３７は、収差補正素子２よりＺ−側に鏡筒６のＺ−端の面１３より凹形状に設けられた面１２ａ〜１２ｄに固定される。収差補正素子２，３７は、光軸に平行な方向から見たときに正方形形状をもつが、その辺が４５度で交わるように配置されている。これ以外は収差補正素子２と同様に固定されている。
【０１１１】
面１２ａ〜１２ｄは同一平面上にあり、収差補正素子３７は、面１２ａ〜１２ｄと面１３を結ぶ光軸に平行な面によって、面１２ａ〜１２ｄに沿った動き量が制限される。ここで、収差補正素子３７の正方形部の寸法４０ａ，４０ｂ（正方形なので、４０ａ＝４０ｂである）は、それが収まる面１２ａ〜１２ｄと面１３を結ぶ光軸に平行な面の間隔４１ａ，４１ｂよりも０．５〜１ｍｍ程度小さくなっている。この隙間の範囲で、収差補正素子３７を面１２ａ〜１２ｄに沿って位置調整することができる。
【０１１２】
収差補正素子３７は、図２６に示すように、頒域４２にあり、穴部１４を完全に覆わず、隙間４４ａ〜４４ｈが存在する。また、収差補正素子２のＺ−方向にも、隙間４６ａ〜４６ｄが広がっている。
【０１１３】
収差補正素子３７は、調整の際、隙間４４ａ〜４４ｈ、４６ａ〜４６ｄを利用して、図２３に示した側面４７ａ〜４７ｄを調整用のジグ等で掴み、位置を動かされる。このように隙間４４ａ〜４４ｈ、４６ａ〜４６ｄを利用することで、収差補正素子３７を強固に掴むことができ、掴む部分の剛性も上がることから、より精密に動かすことができ、調整の精度を向上させることができる。調整後は、面１２ａ〜１２ｄ部分に接着剤を充填することで、鏡筒６に固定される。
【０１１４】
調整の順序などについては、第５実施の形態と同じである。図２６に示した隙間４４ａ〜４４ｈを利用して、収差補正素子２，３７を同時に調整しても良いのも同様である。その他の構成および動作については、第１実施の形態とほぼ同じである。
【０１１５】
本実施の形態においても、２個の収差補正素子２，３７と対物レンズ１との相対的位置を固定する鏡筒６に設けられた光束が通るための穴部１４を、両方の収差補正素子２，３７が完全に覆わず、隙間４４ａ〜４４ｈ、４５ａ〜４５ｄ、４６ａ〜４６ｄが存在するので、一部を隙間に入れるなど、その部分を利用して収差補正素子２，３７を掴んで鏡筒６に固定する調整用のジグや装置を用いることができる。これにより、収差補正素子２，３７を鏡筒６に精度良く固定することができると共に、組み立て作業性も向上することができる。
【０１１６】
また、収差補正素子２，３７は、第５実施の形態では、光軸に平行な方向から見たときの形状が長方形形状であったので、その長手方向に角度を持たせていたが、本実施の形態では正方形形状であるので、その辺が平行でなく角度を持つようにすればよい。なお、本実施の形態のように、正方形形状の２個の収差補正素子２，３７を用いる場合には、その辺を４５度とすることが望ましい。
【０１１７】
本発明は、上記実施の形態に限定されるものではなく、幾多の変形または変更が可能であり、特に、収差補正素子の構成については種々変形可能である。例えば、収差補正素子に設ける回折格子は、片面でなく、両面に設けることもできる。ただし、両面に回折格子を設けた収差補正素子を用いるよりも、それらの回折格子を片面に設けた収差補正素子を２個用いる方が、中心位置を調整できるので、より精度を高めることができる。勿論、収差補正素子の精度が高ければ両面に回折格子を設けたものを用いても問題ないと共に、両面に回折格子を設けた収差補正素子を複数個用いても良い。
【０１１８】
また、収差補正素子は、光軸に平行な方向から見た形状が、長方形、正方形、円形でなくても良く、円形に凸部を持つような形状であっても良い。
【０１１９】
さらに、対物レンズと、収差補正素子と、それらの相対的位置を固定する鏡筒とを別々の部品とせず、対物レンズと鏡筒とを合成樹脂により一体に形成したり、逆に、収差補正素子と鏡筒とを合成樹脂により一体に形成したりすることもできる。
【図面の簡単な説明】
【０１２０】
【図１】本発明の第１実施の形態に係る光ピックアップ用光学素子である光学素子部組を示す斜視図である。
【図２】同じく、光学素子部組の斜視図である。
【図３】同じく、分解斜視図である。
【図４】同じく、上面図である。
【図５】図４のＡ−Ａ断面図である。
【図６】第１実施の形態の光学素子部組を搭載した光ピックアップの一部上面図である。
【図７】一部を図６のＢ−Ｂ断面で示す光ピックアップの概念図である。
【図８】本発明の第２実施の形態に係る光ピックアップ用光学素子である光学素子部組の斜視図である。
【図９】同じく、上面図である。
【図１０】本発明の第３実施の形態に係る光ピックアップ用光学素子である光学素子部組の斜視図である。
【図１１】同じく、上面図である。
【図１２】本発明の第４実施の形態に係る光ピックアップ用光学素子である光学素子部組の斜視図である。
【図１３】同じく、分解斜視図である。
【図１４】同じく、上面図である。
【図１５】図１３の当て付け面２７を矢印Ｂ方向から見た断面図である。
【図１６】本発明の第５実施の形態に係る光ピックアップ用光学素子である光学素子部組の斜視図である。
【図１７】同じく、分解斜視図である。
【図１８】同じく、上面図である。
【図１９】図１８のＣ−Ｃ断面図である。
【図２０】図１９のＤ−Ｄ断面図である。
【図２１】図１９のＥ−Ｅ断面図である。
【図２２】本発明の第６実施の形態に係る光ピックアップ用光学素子である光学素子部組の斜視図である。
【図２３】同じく、分解斜視図である。
【図２４】同じく、上面図である。
【図２５】図２４のＦ−Ｆ断面図である。
【図２６】図２５のＧ−Ｇ断面図である。
【図２７】図２５のＨ−Ｈ断面図である。
【符号の説明】
【０１２１】
１  対物レンズ
２  収差補正素子
４ａ，４ｂ  隙間
６  鏡筒
１０  光学素子部組
１１ａ〜１１ｄ  当て付け面
１２ａ〜１２ｄ  面
１３  面
１３ａ〜１３ｄ  凸部
１４  穴部
１６ａ，１６ｂ  接着剤
１８  面
１９ａ，１９ｂ  面
２０ａ，２０ｂ  面
２１ａ，２１ｂ  凹部
２２ａ，２２ｂ  面
２３ａ，２３ｂ  面
２４ａ，２４ｂ  面
２７  当て付け面
２８  面
２９ａ，２９ｂ  切り欠き部
３０  収差補正素子
３４ａ，３４ｂ  隙間
３７  収差補正素子
３９ａ，３９ｂ  接着剤
４４ａ〜４４ｈ  隙間
４５ａ〜４５ｄ  隙間
４６ａ〜４６ｄ  隙間
４８  凸部
【図１】
2006053993.tif 000003
【図２】
2006053993.tif 000004
【図３】
2006053993.tif 000005
【図４】
2006053993.tif 000006
【図５】
2006053993.tif 000007
【図６】
2006053993.tif 000008
【図７】
2006053993.tif 000009
【図８】
2006053993.tif 000010
【図９】
2006053993.tif 000011
【図１０】
2006053993.tif 000012
【図１１】
2006053993.tif 000013
【図１２】
2006053993.tif 000014
【図１３】
2006053993.tif 000015
【図１４】
2006053993.tif 000016
【図１５】
2006053993.tif 000017
【図１６】
2006053993.tif 000018
【図１７】
2006053993.tif 000019
【図１８】
2006053993.tif 000020
【図１９】
2006053993.tif 000021
【図２０】
2006053993.tif 000022
【図２１】
2006053993.tif 000023
【図２２】
2006053993.tif 000024
【図２３】
2006053993.tif 000025
【図２４】
2006053993.tif 000026
【図２５】
2006053993.tif 000027
【図２６】
2006053993.tif 000028
【図２７】
2006053993.tif 000029